(57)【要約】【課題】少数の無線タグを読み書きする場合においても、多数の無線タグを読み書きする場合においても、適切に無線タグを読み書きできる無線タグリーダライタを提供する。【解決手段】リーダライタ本体部１２０が、筐体にベース部１４０が装着されたと検出したとき、アンテナ１２１から異なる出力電力の電波を放射する。また、筐体にベース部１４０Ａが装着されたと検出したとき、リーダライタ本体部１２０ｂが、切替器１３２を制御して第１のアンテナと第２のアンテナとから同時に、又は交互に電波を放射する。【選択図】図１
2009015443.tif 000002
【特許請求の範囲】
【請求項１】
無線タグと信号を送受信するアンテナと、
前記信号を処理するリーダライタ本体部と、を備える無線タグリーダライタであって、
前記リーダライタ本体部が、前記アンテナと前記リーダライタ本体部を収納する筐体に、前記筐体を支持するベース部が装着されたと検出したとき、前記筐体に前記ベース部が装着されたと検出しないときに放射する電波の出力電力とは異なる出力電力にて電波を放射する、
ことを特徴とする無線タグリーダライタ。
【請求項２】
無線タグと信号を送受信するアンテナと、
前記信号を処理するリーダライタ本体部と、
前記アンテナと前記リーダライタ本体部を収納する筐体に、前記筐体を支持するベース部が装着されているかを検出する着脱検出部と、を備える無線タグリーダライタであって、
前記着脱検出部が、前記筐体に前記ベース部が装着されたと検出したとき、前記アンテナから前記リーダライタ本体部が前記アンテナから前記筐体に前記ベース部が装着されたと検出しないときに放射する電波の出力電力とは異なる出力電力にて電波を放射する、
ことを特徴とする無線タグリーダライタ。
【請求項３】
無線タグと信号を送受信する第１のアンテナと、
前記信号を送受信する前記アンテナを切替える切替器を備え、前記信号を処理するリーダライタ本体部と、
前記アンテナと前記リーダライタ本体部を収納する筐体に、前記無線タグと信号を送受信する第２のアンテナを備え、前記筐体を支持するベース部が装着されているかを検出する着脱検出部と、を備える無線タグリーダライタであって、
前記着脱検出部が、前記筐体に前記ベース部が装着されたと検出したとき、前記リーダライタ本体部が、前記切替器を制御して前記第１のアンテナと前記第２のアンテナとから同時に、又は交互に電波を放射する、
ことを特徴とする無線タグリーダライタ。
【請求項４】
前記ベース部が前記第２のアンテナを複数備え、
前記着脱検出部が、前記筐体に前記ベース部が装着されたと検出したとき、前記リーダライタ本体部が、前記切替器を制御して前記第１のアンテナと前記複数の第２のアンテナとから同時に、又は交互に電波を放射する、
ことを特徴とする請求項３に記載の無線タグリーダライタ。
【請求項５】
無線タグと信号を送受信する第１のアンテナと、
前記信号を処理するリーダライタ本体部と、
前記アンテナと前記リーダライタ本体部を収納する筐体に、前記無線タグと信号を送受信する第２のアンテナを備え、前記筐体を支持するベース部が装着されているかを検出する着脱検出部と、を備える無線タグリーダライタであって、
前記着脱検出部が、
前記筐体に前記ベース部が装着されたと検出したとき、前記リーダライタ本体部が、前記第１のアンテナと前記第２のアンテナとから前記リーダライタ本体部が前記筐体に前記ベース部が装着されたと検出しないときに放射する電波の出力電力とは異なる出力電力にて電波を放射する、
ことを特徴とする無線タグリーダライタ。
【請求項６】
前記ベース部が前記第２のアンテナを複数備え、
前記着脱検出部が、
前記筐体に前記ベース部が装着されたと検出したとき、前記リーダライタ本体部が、前記第１のアンテナと前記複数の第２のアンテナとから前記リーダライタ本体部が前記筐体に前記ベース部が装着されたと検出しないときに放射する電波の出力電力とは異なる出力電力にて電波を放射する、
ことを特徴とする請求項５に記載の無線タグリーダライタ。
【請求項７】
前記筐体に前記ベース部が装着されたと検出しないときに放射する電波の出力電力が１００ｍＷ以上２００ｍＷ以下であり、
前記筐体に前記ベース部が装着されたと検出したときに放射する電波の出力電力が３００ｍＷ以上４００ｍＷ以下である、
ことを特徴とする、請求項１乃至６のいずれか１項に記載の無線タグリーダライタ。
【請求項８】
前記筐体に前記ベース部が装着されたと検出しないときに放射する電波の出力電力が１００ｍＷ以上２００ｍＷ以下であり、
前記筐体に前記ベース部が装着されたと検出したときに放射する電波の出力電力が５０ｍＷ以上１５０ｍＷ以下である、
ことを特徴とする、請求項１乃至６のいずれか１項に記載の無線タグリーダライタ。
【請求項９】
前記筐体に前記ベース部が装着されたと検出しないときに放射する電波の出力電力が１００ｍＷ以上２００ｍＷ以下であり、
前記筐体に前記ベース部が装着されたと検出したときに放射する電波の出力電力が、
３００ｍＷ以上４００ｍＷ以下、又は
５０ｍＷ以上１５０ｍＷ以下である、
ことを特徴とする、請求項１乃至６のいずれか１項に記載の無線タグリーダライタ。
【発明の詳細な説明】
【技術分野】
【０００１】
本発明は、無線タグと信号を送受信する無線タグリーダライタに係り、特に放射する電波の出力電力が変更可能な無線タグリーダライタに関する。
【背景技術】
【０００２】
無線タグを少数ずつ読み書きする場合には、無線タグリーダライタが放射する電波の出力電力は低くてもよい。しかし、一度に多数の無線タグを読み書きする場合には、無線タグリーダライタが放射する電波の出力電力を高くする必要がある。ところが、無線タグリーダライタから放射される電波の出力電力を高くすると、他の無線タグリーダライタが放射する電波との干渉が発生し、適正に無線タグを読み書きできない場合が生じる。よって、無線タグリーダライタから放射される電波の出力電力を制御する必要が生じる。
【０００３】
この点に関し、電波を短い送信間隔にて放射するとともに長い送信間隔によっても放射し、無線タグをスリープさせることなしに、電波の送信出力電力を最大化することなく無線タグと通信する技術が提案されている（例えば、特許文献１）。また、無線タグリーダライタに、無線タグとの通信の成功率を表示させる技術が提案されている（例えば、特許文献2）。
【特許文献１】特開２００５−５３５９６８号公報
【特許文献２】特開２００５−２３５１８０号公報
【発明の開示】
【発明が解決しようとする課題】
【０００４】
しかし、特許文献１に記載の技術によっては、電波の出力電力を高くしない。一方、無線タグが電波を受信して発電するパッシブ型である場合、無線タグを起動するために１枚あたりの必要な電力量が定まっている。よって、特許文献１に記載の技術によっては大量の無線タグを読み書きするには電力量が不足するという問題点があった。
【０００５】
また、特許文献１に記載の技術においては送信間隔の長い電波を送信する。一方、利用可能な周波数帯には限りがある。よって、特許文献１に記載の技術によっては周波数帯の有効利用ができないという問題点があった。この点に関し、送信電波の周波数帯域によっては電波を一定時間以上連続して送信することを行政当局が制限することがある（例えば、電波法に基づく無線設備規則第四十九条の九に基づく総務大臣告示第四十九号、同規則第四十九条の十四に基づく総務大臣告示第三百八十五号）。この場合、特許文献１に記載の技術は採用できないと言う問題点があった。
【０００６】
また、特許文献２に記載の技術においては、無線タグとの通信の成功率を表示するにとどまり、多数の密集した無線タグを読み書きするための具体的な技術が提案されていないという問題点があった。
【０００７】
本発明は上記のような問題点に鑑みてなされたものであり、少数の無線タグを読み書きする場合においても、多数の無線タグを読み書きする場合においても、適切に無線タグを読み書きできる無線タグリーダライタを提供することを目的とする。
【課題を解決するための手段】
【０００８】
この目的を達成するために本発明は、無線タグと信号を送受信するアンテナと、信号を処理するリーダライタ本体部と、を備える無線タグリーダライタであって、リーダライタ本体部が、アンテナとリーダライタ本体部を収納する筐体に、筐体を支持するベース部が装着されたと検出したとき、筐体に前記ベース部が装着されたと検出しないときに放射する電波の出力電力とは異なる出力電力にて電波を放射する、ことを特徴とする無線タグリーダライタを提供する。
【０００９】
また本発明は、無線タグと信号を送受信する第１のアンテナと、信号を送受信するアンテナを切替える切替器を備え、信号を処理するリーダライタ本体部と、アンテナとリーダライタ本体部を収納する筐体に、無線タグと信号を送受信する第２のアンテナを備え、筐体を支持するベース部が装着されているかを検出する着脱検出部と、を備える無線タグリーダライタであって、着脱検出部が、筐体にベース部が装着されたと検出したとき、リーダライタ本体部が、切替器を制御して第１のアンテナと第２のアンテナとから同時に、又は交互に電波を放射する、ことを特徴とする無線タグリーダライタを提供する。
【発明の効果】
【００１０】
本発明によれば、読み書きしようとする無線タグの量に応じて無線タグリーダライタが適切な出力電力にて電波を放射することが可能になり、少数の無線タグを読み書きする場合においても、多数の無線タグを読み書きする場合においても、適切に無線タグを読み書きできると言う効果がある。また、読み書きしようとする無線タグが多数乱雑に密集していても、適切に無線タグを読み書きできると言う効果がある。
【発明を実施するための最良の形態】
【００１１】
以下、本発明による無線タグリーダライタの一実施の形態を、図面を用いて詳細に説明する。なお、本発明において無線タグリーダライタは無線タグから情報を読み込む装置又は無線タグに情報を書き込む装置、又は情報の読み込みと書き込みを両方行う装置を含むものとする。また、無線タグは無線通信可能な記憶媒体を意味し、通常アンテナとＩＣチップを有する。無線タグはさらに計算機能を持っていてもよく、望ましくは携帯可能な大きさであるが、微小なものであってもよい。無線タグはＲＦＩＤ（Ｒａｄｉｏ  Ｆｒｅｑｕｅｎｃｙ  Ｉｄｅｎｔｉｆｉｃａｔｉｏｎ）と呼ばれることもある。
【００１２】
＜実施形態の概要＞
本実施形態の無線タグリーダライタは、アンテナ近傍に集合する多数の無線タグと信号を送受信するアンテナと、信号を処理するリーダライタ本体部と、を備える無線タグリーダライタであって、リーダライタ本体部が、アンテナとリーダライタ本体部を収納する筐体に、筐体を支持するベース部が装着されたと検出したとき、筐体に前記ベース部が装着されたと検出しないときに放射する電波の出力電力とは異なる出力電力にて電波を放射する、ことを特徴とする。
【００１３】
また、ベース部が第２のアンテナを複数備え、リーダライタ本体部が、筐体にベース部が装着されたと検出したとき、アンテナと複数の第２のアンテナとから同時に、又は交互に電波を放射する、ことを特徴とする。以下、詳細に説明する。
【００１４】
＜第１の実施形態の詳細＞
＜無線タグ及び本実施形態の無線タグリーダライタの構成＞
図１は、無線タグ及び本実施形態の無線タグリーダライタの構成の概要を示した図である。図１に示すように、無線タグ１１０は、記憶装置であるメモリ１１１と、メモリ１１１へのデータの読み書きを行う無線タグ制御部１１２と、受信した変調電磁波の整流と安定化を行うことにより電源を供給する電源生成部１１５と、無線タグ制御部１１２から送出されたデータを変調して無線タグアンテナ１１６に送出する変調部１１３と、受信した変調電磁波を復調して無線タグ制御部１１２へ送出する復調部１１４とを備える。
【００１５】
本実施形態の無線タグリーダライタ１２０は、無線タグ１１０と信号を送受信するアンテナ１２１と、この信号を処理するリーダライタ本体部１２０ａと、アンテナ１２１とリーダライタ本体部１２０ａを収納する筐体に、この筐体を支持するベース部１４０が装着されているかを検出する着脱検出部１３１と、を備える。
【００１６】
ベース部１４０は、例えば着脱検出部１３１が有する凹部と嵌合する凸部を有する。筐体にベース部１４０が装着されると、この凸部が凹部と嵌合する。着脱検出部１３１は、例えば光学センサ、機械式スイッチなどの凸部を検出する検出手段を有し、凸部が凹部に嵌合すると、ベース部１４０が装着されたと検出してリーダライタ本体部１２０ａに信号を出力する。なお、検出手段はこれらに限られるものではない。
【００１７】
ベース部１４０の形状は問わないが、例えば横置き式の筐体を立てるように構成されたスタンド形式の形状が挙げられる。
【００１８】
リーダライタ本体部１２０ａは、無線タグと電磁波により信号を送受信するためのアンテナであるアンテナ１２１と、無線タグ１１０との通信及び接続するハードウエアを制御するリーダライタ制御部１２６と、リーダライタ制御部１２６から送出されたデータを変調する変調部１２２と、変調された信号を増幅してアンテナ１２１に送出する送信アンプ１２３と、受信した変調電磁波を増幅する受信アンプ１２４と、受信した変調信号を復調する復調部１２５と、例えばパソコン２０１等の上位装置に接続し、データの授受を行うインターフェース１３０と、を備える。またリーダライタ制御部１２６は、ＣＰＵ１２７及びデータを格納するＲＯＭ１２８及びＲＡＭ１２９を備える。
【００１９】
＜第１の実施形態の無線タグリーダライタの動作＞
本実施形態の無線タグリーダライタ１２０は、前記着脱検出部１３１が、筐体にベース部１４０が装着されたと検出したとき、リーダライタ本体部１２０ａがアンテナ１２１から筐体にベース部１４０が装着されたと検出しないときに放射する電波の出力電力とは異なる出力電力にて電波を放射する。
【００２０】
例えば、本実施形態の無線タグリーダライタ１２０は、前記着脱検出部１３１が、筐体にベース部１４０が装着されたと検出しないとき、リーダライタ本体部１２０ａがアンテナ１２１から第１の出力電力にて電波を放射し、筐体にベース部１４０が装着されたと検出したとき、リーダライタ本体部１２０がアンテナ１２１から第２の出力電力にて電波を放射する。
【００２１】
図２は、本実施形態の無線タグリーダライタ１２０の使用形態を表した図である。図２（ａ）に示すように、ベース部１４０が装着されていない場合には、例えば無線タグリーダライタ１２０を横置きにして使用する。
【００２２】
このとき無線タグリーダライタ１２０は、第１の出力電力、例えば１００ｍＷ以上２００ｍＷ以下程度にて電波を放射する。この出力電力は１〜５枚程度の少数の無線タグ２０２を無線タグリーダライタ１２０の上に手で持ってかざすように移動させて無線タグリーダライタ１２０に読み込ませるときの望ましい値である。
【００２３】
図２（ｂ）に示すように、無線タグリーダライタ１２０に、ベース部１４０を凹部２３１にベース部１４０の凸部（図示せず）が嵌合するように装着し、縦置きセット１００を構成する。
【００２４】
このとき無線タグリーダライタ１２０は、第１の出力電力とは異なる出力電力である第２の出力電力、例えば３００ｍＷ以上５００ｍＷ程度の出力電力にて電波を放射する。この出力電力は６枚〜数十枚程度の多数の密集した無線タグ２０２を無線タグリーダライタ１２０に読み込ませるときの望ましい値である。
【００２５】
図３は、光学センサを設けた着脱検出部１３１の凹部２３１と凸部２３４を拡大した図である。図３に示すように、着脱検出部１３１が光学的にベース部１４０の着脱を検出する場合、凹部２３１の内部に光学センサ２３２と、この光学センサ２３２が設けられた面の対抗する面にミラー２３３とを設ける。無線タグリーダライタ１２０にベース部１４０が装着されたとき、凸部２３４は凹部２３１に嵌合し、光学センサ２３２の光線がミラー２３３に反射するのを遮断する。光学センサ２３２が光線の遮断を検知したとき、着脱検出部１３１はベース部１４０が装着されたと検出してリーダライタ本体部１２０ａに信号を出力する。
【００２６】
＜本実施形態の効果＞
以上述べたように、本実施形態の無線タグリーダライタ１２０は、リーダライタ本体部１２０が、筐体にベース部１４０が装着されたと検出したとき、アンテナ１２１から異なる出力電力にて電波を放射する。このため、読み書きしようとする無線タグの量に応じて無線タグリーダライタ１２０が最適の出力電力にて電波を放射することが可能になり、少数の無線タグを読み書きする場合においても、多数の無線タグを読み書きする場合においても、適切に無線タグを読み書きできると言う効果がある。
【００２７】
＜第２の実施形態の詳細＞
＜無線タグ及び本実施形態の無線タグリーダライタの構成＞
図４は、無線タグ及び本実施形態の無線タグリーダライタの構成の概要を示した図である。図４に示すように、無線タグ１１０は、＜第１の実施形態の詳細＞において述べたものと同じ構成である。
【００２８】
本実施形態の無線タグリーダライタ１２０Ａは、無線タグ１１０と信号を送受信する第１のアンテナ１２１Ａと、この信号を処理するリーダライタ本体部１２０ｂと、アンテナ１２１Ａとリーダライタ本体部１２０ｂを収納する筐体に、この筐体を支持するベース部１４０Ａが装着されているかを検出する着脱検出部１３１と、を備える。
【００２９】
ベース部１４０Ａは、例えば着脱検出部１３１が有する凹部と嵌合する凸部を有する。筐体にベース部１４０Ａが装着されると、この凸部が凹部と嵌合する。着脱検出部１３１は、例えば光学センサ、機械式スイッチなどの凸部を検出する検出手段を有し、凸部が凹部に嵌合すると、ベース部１４０Ａが装着されたと検出してリーダライタ本体部１２０ｂに信号を出力する。なお、検出手段はこれらに限られるものではない。
【００３０】
ベース部１４０Ａの形状は問わないが、例えば横置き式の筐体を立てるように構成されたスタンド形式の形状が挙げられる。
【００３１】
ベース部１４０Ａはさらに、無線タグ１１０と信号を送受信する第２のアンテナを有する。第２のアンテナは複数設けられてもよい。無線タグリーダライタ１２０Ａは、これらの第２のアンテナ１２１Ｂ，１２１Ｃ，１２１Ｄとのコネクタを有し、このコネクタを介して第２のアンテナ１２１Ｂ，１２１Ｃ，１２１Ｄが着脱可能に構成されている。
【００３２】
リーダライタ本体部１２０ｂは、無線タグと電磁波により信号を送受信するためのアンテナであるアンテナ１２１と、無線タグ１１０との通信及び接続するハードウエアを制御するリーダライタ制御部１２６と、リーダライタ制御部１２６から送出されたデータを変調する変調部１２２と、変調された信号を増幅してアンテナ１２１に送出する送信アンプ１２３と、受信した変調電磁波を増幅する受信アンプ１２４と、受信した変調信号を復調する復調部１２５と、例えばパソコン２０１等の上位装置に接続し、データの授受を行うインターフェース１３０と、を備える。またリーダライタ制御部１２６は、ＣＰＵ１２７及びデータを格納するＲＯＭ１２８及びＲＡＭ１２９を備える。
【００３３】
リーダライタ本体部１２０ｂは、信号を送受信するアンテナを切替える切替器１３２を備える。この切替器１３２は、例えばＣＰＵ１２７によって制御される電子スイッチを用いることができる。
【００３４】
＜第２の実施形態の無線タグリーダライタの動作＞
本実施形態の無線タグリーダライタ１２０Ａは、着脱検出部１３１が、筐体にベース部１４０が装着されたと検出したとき、切替器１３２を制御して第１のアンテナ１２１Ａと複数の第２のアンテナ１２１Ｂ，１２１Ｃ，１２１Ｄとから同時に、又は交互に電波を放射する。
【００３５】
ここで交互にとは、例えば第１のアンテナ１２１Ａ，第２のアンテナ１２１Ｂ，１２１Ｃ，１２１Ｄの順に、０．５秒ずつ繰り返し電波を放射するように構成することもできることを意味する。なお、第２のアンテナは１つだけ設けても４つ以上設けてもよい。
【００３６】
さらに、本実施形態の無線タグリーダライタ１２０Ａは、着脱検出部１３１が、筐体にベース部１４０Ａが装着されたと検出したとき、リーダライタ本体部１２０ｂが、第１のアンテナ１２１Ａと複数の第２のアンテナ１２１Ｂ，１２１Ｃ，１２１Ｄとからリーダライタ本体部１２０ｂが筐体にベース部１４０Ａが装着されたと検出しないときに放射する電波の出力電力とは異なる出力電力にて電波を放射するように構成することもできる。
【００３７】
例えば、本実施形態の無線タグリーダライタ１２０Ａは、着脱検出部１３１が、筐体に前記ベース部１４０Ａが装着されたと検出しないとき、リーダライタ本体部１２０ｂが、第１のアンテナ１２１Ａと複数の第２のアンテナ１２１Ｂ，１２１Ｃ，１２１Ｄとから第１の出力電力にて電波を放射し、筐体に前記ベース部１４０Ａが装着されたと検出したとき、前記リーダライタ本体部１２０ｂが、第１のアンテナ１２１Ａと複数の第２のアンテナ１２１Ｂ，１２１Ｃ，１２１Ｄとから第２の出力電力にて電波を放射するように構成することもできる。
【００３８】
図５は、本実施形態の無線タグリーダライタ１２０Ａの使用形態を表した図である。ベース部１４０Ａが装着されていないときは、図２（ａ）に示すものと同じ形態となる。図２（ａ）に示すように、ベース部１４０Ａが装着されていない場合には、例えば無線タグリーダライタ１２０Ａを横置きにして使用する。このとき無線タグリーダライタ１２０Ａは、第１の出力電力、例えば１００ｍＷ以上２００ｍＷ以下程度にて電波を放射する。この出力電力は１〜５枚程度の少数の無線タグ２０２を無線タグリーダライタ１２０Ａの上に手で持ってかざすように移動させて無線タグリーダライタ１２０Ａに読み込ませるときの望ましい値である。
【００３９】
図５に示すように、無線タグリーダライタ１２０Ａに、ベース部１４０Ａを凹部１３１にベース部１４０の凸部（図示せず）が嵌合するように装着し、縦置きセット１０１を構成する。
【００４０】
着脱検出部１３１の凹部と凸部の例は、第１の実施形態において説明したものと同様の構成を用いることができる。
【００４１】
このとき無線タグリーダライタ１２０Ａは、第１のアンテナ１２１Ａ，第２のアンテナ１２１Ｂ，１２１Ｃ，１２１Ｄの順に、０．５秒ずつ繰り返し電波を放射する。さらに無線タグリーダライタ１２０Ａは、第１のアンテナ１２１Ａと第２のアンテナ１２１Ｂ，１２１Ｃ，１２１Ｄとから第１の出力電力とは異なる出力電力である第２の出力電力にて電波を放射する。
【００４２】
第１の場合として、第１の出力電力とは異なる出力電力である第２の出力電力、例えば３００ｍＷ以上５００ｍＷ程度の出力電力にて電波を放射する。この出力電力は６枚〜数十枚程度の多数の密集した無線タグ２０２を無線タグリーダライタ１２０Ａに読み込ませるときの望ましい値である。
【００４３】
この程度の出力電力の電波であっても、図５に示すように第２のアンテナ１２１Ｂ，１２１Ｃ，１２１Ｄが第１のアンテナ１２１Ａの電波放射面を電波放射方向に囲むように配置されていれば、第２のアンテナを格納する筐体が電波を遮蔽し、無線タグリーダライタ１２０の周辺にある通信したくない無線タグの読み取りを防止する。
【００４４】
第２の場合として、第１の出力電力とは異なる出力電力である第２の出力電力、５０ｍＷ以上１５０ｍＷ程度の出力電力にて電波を放射する。この出力電力は無線タグ２０２の枚数に関わらず、無線タグを第１のアンテナ又は第２のアンテナに接近させて読み込ませるときの望ましい値である。
【００４５】
すなわち、図５に示すように第２のアンテナ１２１Ｂ，１２１Ｃ，１２１Ｄが第１のアンテナ１２１Ａの電波放射面を電波放射方向に囲むように配置されていれば、操作者は容易に無線タグ２０２を各アンテナに投げ込むように接近させることができ、あるいは多数の無線タグ２０２を各アンテナに押し付けるようにして接近させることができる。
【００４６】
また、アンテナを一つだけ用いて通信する場合に比べ、上記のように各アンテナを配置することにより、各アンテナが電波を供給しなければならない領域は狭くてすむ。
【００４７】
このような理由から、５０ｍＷ以上１５０ｍＷ程度の出力電力であっても無線タグ２０２と通信が可能である。
【００４８】
なお、無線タグリーダライタ１２０Ａは、着脱検出部１３１が筐体にベース部１４０Ａが装着されたと検出しないとき、リーダライタ本体部１２０ｂが、第１のアンテナ１２１Ａと複数の第２のアンテナ１２１Ｂ，１２１Ｃ，１２１Ｄとから第１の出力電力にて電波を放射し、筐体にベース部１４０Ａが装着されたと検出したとき、リーダライタ本体部１２０Ａが、第１のアンテナ１２１Ａと複数の第２のアンテナ１２１Ｂ，１２１Ｃ，１２１Ｄとから第２の出力電力、又は第１及び第２の出力電力とは異なる第３の出力電力にて電波を放射する、ように構成することもできる。
【００４９】
この場合、例えば第１の出力電力が１００ｍＷ以上２００ｍＷ以下であり、第２の出力電力が３００ｍＷ以上４００ｍＷ以下であり、第３の出力電力が５０ｍＷ以上１５０ｍＷ以下であるように、構成することもできる。
【００５０】
＜本実施形態の効果＞
以上述べたように、本実施形態の無線タグリーダライタ１２０Ａは、筐体にベース部１４０Ａが装着されたと検出したとき、リーダライタ本体部１２０ｂが、切替器１３２を制御して第１のアンテナと第２のアンテナとから同時に、又は交互に電波を放射する。このため、読み書きしようとする無線タグが多数乱雑に密集していても、適切に無線タグを読み書きできると言う効果がある。また、操作者の無線タグ２０２の無線タグリーダライタ１２０Ａへの読ませ方に応じて、放射する電波の出力電力を適切な値に選択することが可能となる。
【００５１】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５２】
【図１】無線タグ及び第１の実施形態の無線タグリーダライタの構成の概要を示した図である。
【図２】第１の実施形態の無線タグリーダライタの使用形態を表した図である。
【図３】光学センサを設けた着脱検出部の凹部と凸部を拡大した図である。
【図４】無線タグ及び第２の実施形態の無線タグリーダライタの構成の概要を示した図である。
【図５】第２の実施形態の無線タグリーダライタの使用形態を表した図である。
【符号の説明】
【００５３】
１２０，１２０Ａ：無線タグリーダライタ、
１２１：アンテナ、
１２１Ａ：第１のアンテナ、
１２１Ｂ，１２１Ｃ，１２１Ｄ：第２のアンテナ、
１３１：着脱検出部、
１３２：切替器、
１４０，１４０Ａ：ベース部。
【図１】
2009015443.tif 000003
【図２】
2009015443.tif 000004
【図３】
2009015443.tif 000005
【図４】
2009015443.tif 000006
【図５】
2009015443.tif 000007